(57)【特許請求の範囲】
【請求項１】
複数の絶縁体層が積層されており、第一方向で互いに対向している一対の側面を有している素体と、
前記一対の側面にそれぞれ複数ずつ配置されている端子電極と、
前記素体内に配置されており、互いに磁気結合する一対のコイルと、を備え、
前記一対のコイルそれぞれは、対応する前記側面に露出し、かつ、対応する前記端子電極に接続される端部を有するコイル導体を含み、
前記コイル導体と同じ層には、前記コイル導体の前記端部が露出している前記側面と前記コイル導体との間であり、かつ、前記コイル導体の前記端部が接続されていない前記端子電極と前記コイル導体とに前記第一方向で挟まれる第一領域を含まない当該第一領域と前記コイル導体の前記端部との間の領域に、前記コイル導体と離間したダミー導体が配置されている、積層コモンモードフィルタ。
【請求項２】
前記ダミー導体は、前記コイル導体の前記端部が接続されている前記端子電極と前記コイル導体とに前記第一方向で挟まれる第二領域に一部が位置しているように配置されている、請求項１に記載の積層コモンモードフィルタ。
【請求項３】
前記ダミー導体は、環状を呈している、請求項２に記載の積層コモンモードフィルタ。
【請求項４】
前記ダミー導体は、前記第一方向に沿うように延びており、前記第一方向と直交する第二方向で離間している一対の導体部分を有し、
一方の前記導体部分は、前記第二領域に位置し、
他方の前記導体部分は、前記第一領域と前記第二領域との間に位置しており、
前記他方の導体部分の前記第二方向での幅は、前記一方の導体部分の前記第二方向での幅よりも大きい、請求項３に記載の積層コモンモードフィルタ。
【請求項５】
前記一方のコイルは、前記コイル導体として渦巻き状の第一及び第二コイル導体を有していると共に、前記第一コイル導体と前記第二コイル導体とが電気的に接続されることにより構成され、
前記他方のコイルは、前記コイル導体として渦巻き状の第三及び第四コイル導体を有していると共に、前記第三コイル導体と前記第四コイル導体とが電気的に接続されることにより構成され、
前記第一コイル導体の端部と前記第三コイル導体の端部とは、一方の前記側面に露出し、
前記第二コイル導体の端部と前記第四コイル導体の端部とは、他方の前記側面に露出し、
前記第一コイル導体と前記一方の側面との前記第一方向での間隔は、前記第一コイル導体と前記他方の側面との前記第一方向での間隔よりも大きく、
前記第二コイル導体と前記他方の側面との前記第一方向での間隔は、前記第二コイル導体と前記一方の側面との前記第一方向での間隔よりも大きく、
前記第一コイル導体と前記一方の側面との間と、前記第二コイル導体と前記他方の側面との間とのそれぞれに、前記ダミー導体が配置されている、請求項１〜４のいずれか一項に記載の積層コモンモードフィルタ。
【請求項６】
前記第一コイル導体と前記第三コイル導体とは、前記複数の絶縁体層が積層されている方向で互いに隣り合い、
前記第二コイル導体と前記第四コイル導体とは、前記複数の絶縁体層が積層されている前記方向で互いに隣り合い、
前記第三コイル導体は、前記複数の絶縁体層が積層されている前記方向で前記第一コイル導体と前記第二コイル導体との間に位置している、請求項５に記載の積層コモンモードフィルタ。
【発明の詳細な説明】
【技術分野】
【０００１】
本発明は、積層コモンモードフィルタに関する。
【背景技術】
【０００２】
複数の絶縁体層が積層されており、第一方向で互いに対向している一対の側面を有している素体と、一対の側面にそれぞれ複数ずつ配置されている端子電極と、素体内に配置されており、互いに磁気結合する一対のコイルと、を備えている積層コモンモードフィルタが知られている（たとえば、特許文献１参照）。特許文献１に記載された積層コモンモードフィルタでは、一対のコイルそれぞれは、対応する側面に露出し、かつ、対応する端子電極に接続される端部を有するコイル導体を含んでいる。
【先行技術文献】
【特許文献】
【０００３】
【特許文献１】特開２００９−０８１２３１号公報
【発明の概要】
【発明が解決しようとする課題】
【０００４】
積層コモンモードフィルタでは、一般に、以下の過程により素体が得られる。まず、絶縁体層となるグリーンシートが用意され、コイル導体となる導体パターンがグリーンシートに形成され、導体パターンが形成されたグリーンシート及び導体パターンが形成されていないグリーンシートが所望の順序で積層され、グリーンシートの積層体が得られる。その後、得られたグリーンシートの積層体が所定の大きさの複数のチップに切断され、得られたチップが焼成され、素体が得られる。
【０００５】
グリーンシートの積層体が切断される際に、切断位置にずれが生じると、素体の側面と、コイル導体との位置関係がずれてしまう。すなわち、一方の側面とコイル導体との間隔と、他方の側面とコイル導体との間隔とが異なり、一方の側面とコイル導体との間隔が他方の側面とコイル導体との間隔よりも短くなってしまう。
【０００６】
一方の側面には、各コイルに対し、コイル導体が電気的に接続される端子電極と、コイル導体が電気的に接続されていない端子電極とが配置されている。したがって、一方の側面とコイル導体との間隔が短い場合、コイル導体と、当該コイル導体が電気的に接続されていない端子電極との間隔も短いため、これらのコイル導体と端子電極とが短絡し、絶縁耐圧不良が生じるおそれがある。
【０００７】
本発明の一つの態様は、切断位置にずれが生じている製品を確実に判別し得ると共に、絶縁耐圧不良の発生が抑制されている積層コモンモードフィルタを提供することを目的とする。
【課題を解決するための手段】
【０００８】
本発明の一つの態様に係る積層コモンモードフィルタは、複数の絶縁体層が積層されており、第一方向で互いに対向している一対の側面を有している素体と、一対の側面にそれぞれ複数ずつ配置されている端子電極と、素体内に配置されており、互いに磁気結合する一対のコイルと、を備え、一対のコイルそれぞれは、対応する側面に露出し、かつ、対応する端子電極に接続される端部を有するコイル導体を含み、コイル導体と同じ層には、コイル導体の端部が露出している側面とコイル導体との間であり、かつ、コイル導体の端部が接続されていない端子電極とコイル導体とに第一方向で挟まれる第一領域を含まない領域に、コイル導体と離間したダミー導体が配置されている。
【０００９】
本発明の一つの態様に係る積層コモンモードフィルタでは、コイル導体と同じ層における、当該コイル導体の端部が露出している側面と当該コイル導体との間の領域に、ダミー導体が配置されている。このため、切断位置にずれが生じている製品では、ダミー導体が素体の側面に露出し、切断位置にずれが生じていない製品では、ダミー導体が素体の側面に露出しない。このように、本態様に係る積層コモンモードフィルタによれば、ダミー導体の露出の有無により、切断位置にずれが生じている製品を確実に判別することができる。
【００１０】
ダミー導体が、コイル導体と当該コイル導体の端部が接続されていない端子電極とに第一方向で挟まれる第一領域に位置している場合、コイル導体と、当該コイル導体の端部が接続されていない端子電極とがダミー導体を通して短絡するおそれがある。この場合、絶縁耐圧不良が生じてしまう。しかしながら、本態様に係る積層コモンモードフィルタでは、ダミー導体は、第一領域を含まない領域に配置されているので、第一領域にダミー導体が位置することはない。したがって、本態様に係る積層コモンモードフィルタによれば、コイル導体と、当該コイル導体の端部が接続されていない端子電極とがダミー導体を通して短絡するのが抑制され、絶縁耐圧不良の発生が抑制される。
【００１１】
ダミー導体は、コイル導体の端部が接続されている端子電極とコイル導体とに第一方向で挟まれる第二領域に一部が位置しているように配置されていてもよい。この場合、切断位置にずれが生じている製品では、コイル導体の端部が接続されている端子電極とダミー導体とが接続される。このため、たとえば、端子電極がめっき層を含む構成では、ダミー導体における側面に露出している部分にもめっき層が形成されるので、ダミー導体の露出の有無を容易に判別することができる。
【００１２】
ダミー導体は、環状を呈していてもよい。たとえば、ベタ状のダミー導体を得るためには、導電性ペーストをベタ状に付与する必要があるため、環状のダミー導体を得るよりも、導電性ペーストの使用量が多くなる。また、付与された導電性ペーストは、表面張力などの影響を受けて、ベタ状に付与される場合では、環状に付与される場合に比して、厚みが大きくなってしまう。したがって、ダミー導体が環状である場合、ダミー導体がベタ状である場合に比して、ダミー導体を形成するための材料（導電性ペーストなど）の使用量が低減されると共に、厚みが大きくなるのを防ぐことができる。
【００１３】
ダミー導体は、第一方向に沿うように延びており、第一方向と直交する第二方向で離間している一対の導体部分を有し、一方の導体部分は、第二領域に位置し、他方の導体部分は、第一領域と第二領域との間に位置していてもよい。この場合、他方の導体部分の第二方向での幅は、一方の導体部分の第二方向での幅よりも大きい。本形態によれば、切断位置にずれが生じている製品では、コイル導体の端部が接続されている端子電極とダミー導体の一方の導体部分とが接続され、ダミー導体の他方の導体部分が側面に露出する。他方の導体部分の第二方向での幅が、一方の導体部分の第二方向での幅よりも大きいので、露出している他方の導体部分が比較的大きく、ダミー導体の露出の有無をより一層容易に判別することができる。
【００１４】
一方のコイルは、コイル導体として渦巻き状の第一及び第二コイル導体を有していると共に、第一コイル導体と第二コイル導体とが電気的に接続されることにより構成され、他方のコイルは、コイル導体として渦巻き状の第三及び第四コイル導体を有していると共に、第三コイル導体と第四コイル導体とが電気的に接続されることにより構成されていてもよい。この場合、第一コイル導体の端部と第三コイル導体の端部とは、一方の側面に露出し、第二コイル導体の端部と第四コイル導体の端部とは、他方の側面に露出し、第一コイル導体と一方の側面との第一方向での間隔は、第一コイル導体と他方の側面との第一方向での間隔よりも大きく、第二コイル導体と他方の側面との第一方向での間隔は、第二コイル導体と一方の側面との第一方向での間隔よりも大きく、第一コイル導体と一方の側面との間と、第二コイル導体と他方の側面との間とのそれぞれに、ダミー導体が配置されている。本形態では、ダミー導体が、第一方向での間隔が広い領域に配置される。したがって、ダミー導体と第一コイル導体との第一方向での間隔、ダミー導体と第一端子電極との第一方向での間隔、ダミー導体と第二コイル導体との第一方向での間隔、及びダミー導体と第二端子電極との第一方向での間隔が確保された状態でのダミー導体の配置が容易とされる。
【００１５】
第一コイル導体と第三コイル導体とは、複数の絶縁体層が積層されている方向で互いに隣り合い、第二コイル導体と第四コイル導体とは、複数の絶縁体層が積層されている方向で互いに隣り合っていてもよい。この場合、第三コイル導体は、複数の絶縁体層が積層されている方向で第一コイル導体と第二コイル導体との間に位置している。本形態では、第一コイルと第二コイルとの磁気結合を高めることができる。
【発明の効果】
【００１６】
本発明の一つの態様によれば、切断位置にずれが生じている製品を確実に判別し得ると共に、絶縁耐圧不良の発生が抑制されている積層コモンモードフィルタを提供することができる。
【図面の簡単な説明】
【００１７】
【図１】一実施形態に係る積層コモンモードフィルタを示す斜視図である。
【図２】素体の断面構成を説明するための図である。
【図３】素体の構成を示す分解斜視図である。
【図４】第一コイル導体及びダミー導体を示す平面図である。
【図５】第二コイル導体及びダミー導体を示す平面図である。
【図６】第三コイル導体を示す平面図である。
【図７】第四コイル導体を示す平面図である。
【図８】切断位置にずれが生じている積層コモンモードフィルタの一例を示す斜視図である。
【図９】切断位置にずれが生じている積層コモンモードフィルタの一例を示す斜視図である。
【図１０】第一コイル導体及びダミー導体を示す平面図である。
【図１１】第二コイル導体及びダミー導体を示す平面図である。
【図１２】第四コイル導体及びダミー導体を示す平面図である。
【発明を実施するための形態】
【００１８】
以下、添付図面を参照して、本発明の実施形態について詳細に説明する。なお、説明において、同一要素又は同一機能を有する要素には、同一符号を用いることとし、重複する説明は省略する。
【００１９】
図１〜図３を参照して、本実施形態に係る積層コモンモードフィルタＣＦの構成を説明する。図１は、本実施形態に係る積層コモンモードフィルタを示す斜視図である。図２は、素体の断面構成を説明するための図である。図３は、素体の構成を示す分解斜視図である。
【００２０】
積層コモンモードフィルタＣＦは、図１〜図３に示されるように、素体１と、素体１の外表面に配置される第一端子電極１１、第二端子電極１２、第三端子電極１３、及び第四端子電極１４と、を備えている。積層コモンモードフィルタＣＦは、第一端子電極１１、第二端子電極１２、第三端子電極１３、及び第四端子電極１４がそれぞれ信号ラインに接続されるように、電子機器（たとえば、回路基板又は電子部品など）に実装される。
【００２１】
素体１は、直方体形状を呈している。素体１は、その外表面として、互いに対向する長方形状の第一主面１ａ及び第二主面１ｂと、互いに対向する第一側面１ｃ及び第二側面１ｄと、互いに対向する第三側面１ｅ及び第四側面１ｆと、を有している。素体１の長手方向ＤＬは、第三側面１ｅと第四側面１ｆとが対向している方向である。素体１の幅方向ＤＷは、第一側面１ｃと第二側面１ｄとが対向している方向である。素体１の高さ方向ＤＨは、第一主面１ａと第二主面１ｂとが対向している方向である。直方体形状には、角部及び稜線部が面取りされている直方体の形状、及び、角部及び稜線部が丸められている直方体の形状が含まれる。長手方向ＤＬは、幅方向ＤＷに直交すると共に、高さ方向ＤＨに直交している。幅方向ＤＷは、高さ方向ＤＨと直交している。
【００２２】
第一及び第二側面１ｃ，１ｄは、第一主面１ａと第二主面１ｂとを連結するように素体１の高さ方向ＤＨに延びている。第一及び第二側面１ｃ，１ｄは、素体１の長手方向ＤＬ（第一及び第二主面１ａ，１ｂの長辺方向）にも延びている。第三及び第四側面１ｅ，１ｆは、第一主面１ａと第二主面１ｂとを連結するように素体１の高さ方向ＤＨに延びている。第三及び第四側面１ｅ，１ｆは、素体１の幅方向ＤＷ（第一及び第二主面１ａ，１ｂの短辺方向）にも延びている。
【００２３】
素体１は、非磁性体部３と、素体１の高さ方向ＤＨで非磁性体部３を挟むように配置された一対の磁性体部５と、を有している。素体１は、積層されている複数の絶縁体層により構成されている。非磁性体部３では、絶縁体層として、複数の非磁性体層４が積層されている。すなわち、非磁性体部３は、積層された複数の非磁性体層４により構成されている。各磁性体部５では、絶縁体層として、複数の磁性体層６が積層されている。すなわち、磁性体部５は、積層された複数の磁性体層６により構成されている。複数の絶縁体層は、複数の非磁性体層４と複数の磁性体層６とを含んでいる。
【００２４】
各非磁性体層４は、たとえば非磁性材料（Ｃｕ−Ｚｎ系フェライト材料、誘電体材料、又はガラスセラミック材料など）を含むセラミックグリーンシートの焼結体から構成される。各磁性体層６は、たとえば磁性材料（Ｎｉ−Ｃｕ−Ｚｎ系フェライト材料、Ｎｉ−Ｃｕ−Ｚｎ−Ｍｇ系フェライト材料、又はＮｉ−Ｃｕ系フェライト材料など）を含むセラミックグリーンシートの焼結体から構成される。
【００２５】
実際の素体１では、各非磁性体層４及び各磁性体層６は、層間の境界が視認できない程度に一体化されている。素体１の高さ方向ＤＨ、すなわち第一主面１ａと第二主面１ｂとが対抗している方向は、複数の絶縁体層、すなわち、複数の非磁性体層４及び複数の磁性体層６が積層されている方向（以下、単に「積層方向」と称する。）と一致する。
【００２６】
第一端子電極１１及び第三端子電極１３は、素体１の第一側面１ｃ側に配置されている。第一端子電極１１及び第三端子電極１３は、第一側面１ｃの一部を素体１の高さ方向ＤＨに沿って覆うように形成されていると共に、第一主面１ａの一部と第二主面１ｂの一部とに形成されている。第一端子電極１１は、第三側面１ｅ側に位置し、第三端子電極１３は、第四側面１ｆ側に位置している。
【００２７】
第二端子電極１２及び第四端子電極１４は、素体１の第二側面１ｄ側に配置されている。第二端子電極１２及び第四端子電極１４は、第二側面１ｄの一部を素体１の高さ方向ＤＨに沿って覆うように形成されていると共に、第一主面１ａの一部と第二主面１ｂの一部とに形成されている。第二端子電極１２は、第三側面１ｅ側に位置し、第四端子電極１４は、第四側面１ｆ側に位置している。
【００２８】
各端子電極１１〜１４は、導電材（たとえば、Ａｇ又はＰｄなど）を含んでいる。各端子電極１１〜１４は、導電性材料（たとえば、Ａｇ粉末又はＰｄ粉末など）を含む導電性ペーストの焼結体として構成される。各端子電極１１〜１４の表面にはめっき層が形成されている。めっき層は、たとえば電気めっきにより形成される。めっき層は、Ｃｕめっき層、Ｎｉめっき層、及びＳｎめっき層からなる層構造、又は、Ｎｉめっき層及びＳｎめっき層からなる層構造などを有する。
【００２９】
積層コモンモードフィルタＣＦは、図２及び図３に示されるように、第一コイル導体２１、第二コイル導体２２、第三コイル導体２３、第四コイル導体２４、ダミー導体２５、及びダミー導体２６を、非磁性体部３に備えている。各導体２１〜２６は、導電材（たとえば、Ａｇ又はＰｄなど）を含んでいる。各導体２１〜２６は、導電性材料（たとえば、Ａｇ粉末又はＰｄ粉末など）を含む導電性ペーストの焼結体として構成される。
【００３０】
第一コイル導体２１は、図４にも示されるように、渦巻き状であり、積層方向に隣り合う一対の非磁性体層４の間に配置されている。第一コイル導体２１の一端部（外側端部）２１ａは、第一側面１ｃに露出している。第一コイル導体２１は、第一側面１ｃに露出している端部で第一端子電極１１に接続されている。第一コイル導体２１の一端部２１ａは、第一端子電極１１との接続導体として機能する。第一コイル導体２１の他端部（内側端部）２１ｂは、第一コイル導体２１と同じ層に位置する第一パッド導体４１に接続されている。本実施形態では、第一コイル導体２１と第一パッド導体４１とは、一体的に形成されている。
【００３１】
第二コイル導体２２は、図５にも示されるように、渦巻き状であり、積層方向に隣り合う一対の非磁性体層４の間に配置されている。第二コイル導体２２の一端部（外側端部）２２ａは、第二側面１ｄに露出している。第二コイル導体２２は、第二側面１ｄに露出している端部で第二端子電極１２に接続されている。第二コイル導体２２の一端部２２ａは、第二端子電極１２との接続導体として機能する。第二コイル導体２２の他端部（内側端部）２２ｂは、第二コイル導体２２と同じ層に位置する第二パッド導体４２に接続されている。本実施形態では、第二コイル導体２２と第二パッド導体４２とは、一体的に形成されている。
【００３２】
第三コイル導体２３は、図６にも示されるように、渦巻き状であり、積層方向に隣り合う一対の非磁性体層４の間に配置されている。第三コイル導体２３の一端部（外側端部）２３ａは、第一側面１ｃに露出している。第三コイル導体２３は、第一側面１ｃに露出している端部で第三端子電極１３に接続されている。第三コイル導体２３の一端部２３ａは、第三端子電極１３との接続導体として機能する。第三コイル導体２３の他端部（内側端部）２３ｂは、第三コイル導体２３と同じ層に位置する第三パッド導体４３に接続されている。本実施形態では、第三コイル導体２３と第三パッド導体４３とは、一体的に形成されている。
【００３３】
第四コイル導体２４は、図７にも示されるように、渦巻き状であり、積層方向に隣り合う一対の非磁性体層４の間に配置されている。第四コイル導体２４の一端部（外側端部）２４ａは、第二側面１ｄに露出している。第四コイル導体２４は、第二側面１ｄに露出している端部で第四端子電極１４に接続されている。第四コイル導体２４の一端部２４ａは、第四端子電極１４との接続導体として機能する。第四コイル導体２４の他端部（内側端部）２４ｂは、第四コイル導体２４と同じ層に位置する第四パッド導体４４に接続されている。本実施形態では、第四コイル導体２４と第四パッド導体４４とは、一体的に形成されている。
【００３４】
第一コイル導体２１（渦巻き状の導体部分）と第一側面１ｃとの素体１の幅方向ＤＷ（第一方向）での間隔Ｓ１１は、第一コイル導体２１（渦巻き状の導体部分）と第二側面１ｄとの素体１の幅方向ＤＷでの間隔Ｓ１２よりも大きい。第二コイル導体２２（渦巻き状の導体部分）と第二側面１ｄとの素体１の幅方向ＤＷでの間隔Ｓ２１は、第二コイル導体２２（渦巻き状の導体部分）と第一側面１ｃとの素体１の幅方向ＤＷでの間隔Ｓ２２よりも大きい。間隔Ｓ１１は、第三コイル導体２３（渦巻き状の導体部分）と第一側面１ｃとの素体１の幅方向ＤＷでの間隔、第三コイル導体２３（渦巻き状の導体部分）と第二側面１ｄとの素体１の幅方向ＤＷでの間隔、第四コイル導体２４（渦巻き状の導体部分）と第一側面１ｃとの素体１の幅方向ＤＷでの間隔、第四コイル導体２４（渦巻き状の導体部分）と第二側面１ｄとの素体１の幅方向ＤＷでの間隔それぞれよりも大きい。
【００３５】
第一コイル導体２１と第三コイル導体２３とが積層方向で非磁性体層４を介して互いに隣り合い、第二コイル導体２２と第四コイル導体２４とが非磁性体層４を介して積層方向で互いに隣り合っている。積層方向で第三コイル導体２３が第一コイル導体２１と第二コイル導体２２との間に位置している。すなわち、第一〜第四コイル導体２１〜２４は、積層方向において、第一コイル導体２１、第三コイル導体２３、第二コイル導体２２、第四コイル導体２４の順に配置されている。第一〜第四コイル導体２１〜２４は、積層方向から見て、同じ方向に巻き回されていると共に互いに重なり合うように位置している。
【００３６】
第一パッド導体４１と第二パッド導体４２とは、積層方向から見て、互いに重なり合うように位置している。第一パッド導体４１と第二パッド導体４２との間には、第三コイル導体２３と同じ層に位置する第五パッド導体４５が、積層方向から見て、第一及び第二パッド導体４１，４２と互いに重なり合うように配置されている。すなわち、第一パッド導体４１と第五パッド導体４５とが積層方向で非磁性体層４を介して互いに隣り合い、第五パッド導体４５と第二パッド導体４２とが積層方向で非磁性体層４を介して互いに隣り合っている。
【００３７】
第一パッド導体４１と第五パッド導体４５と第二パッド導体４２とは、それぞれ第一スルーホール導体５１を介して接続されている。第一スルーホール導体５１は、第一パッド導体４１と第五パッド導体４５との間に位置する非磁性体層４と、第五パッド導体４５と第二パッド導体４２との間に位置する非磁性体層４と、を貫通している。
【００３８】
第三パッド導体４３と第四パッド導体４４とは、積層方向から見て、互いに重なり合うように位置している。第三パッド導体４３と第四パッド導体４４との間には、第二コイル導体２２と同じ層に位置する第六パッド導体４６が、積層方向から見て、第三及び第四パッド導体４３，４４と互いに重なり合うように配置されている。すなわち、第三パッド導体４３と第六パッド導体４６とが積層方向で非磁性体層４を介して互いに隣り合い、第六パッド導体４６と第四パッド導体４４とが積層方向で非磁性体層４を介して互いに隣り合っている。
【００３９】
第三パッド導体４３と第六パッド導体４６と第四パッド導体４４とは、それぞれ第二スルーホール導体５２を介して接続されている。第二スルーホール導体５２は、第三パッド導体４３と第六パッド導体４６との間に位置する非磁性体層４と、第六パッド導体４６と第四パッド導体４４との間に位置する非磁性体層４と、を貫通している。
【００４０】
第一コイル導体２１と第二コイル導体２２とは、第一パッド導体４１、第五パッド導体４５、第二パッド導体４２、及び第一スルーホール導体５１を通して、電気的に接続されている。第一コイル導体２１と第二コイル導体２２とは、第一コイルＣ１を構成している。第三コイル導体２３と第四コイル導体２４とは、第三パッド導体４３、第六パッド導体４６、第四パッド導体４４、及び第二スルーホール導体５２を通して、電気的に接続されている。第三コイル導体２３と第四コイル導体２４とは、第二コイルＣ２を構成している。
【００４１】
積層コモンモードフィルタＣＦは、素体１（非磁性体部３）内に、第一コイルＣ１と第二コイルＣ２を備える。第一コイルＣ１と第二コイルＣ２とは、第一コイル導体２１と第三コイル導体２３とが積層方向で互いに隣り合い且つ第三コイル導体２３と第二コイル導体２２とが積層方向で互いに隣り合い且つ第二コイル導体２２と第四コイル導体２４とが積層方向で互いに隣り合うように、非磁性体部３内に配置されている。第一コイルＣ１と第二コイルＣ２とは、互いに磁気結合する。
【００４２】
第五及び第六パッド導体４５，４６並びに第一及び第二スルーホール導体５１，５２は、導電材（たとえば、Ａｇ又はＰｄなど）を含んでいる。第五及び第六パッド導体４５，４６並びに第一及び第二スルーホール導体５１，５２は、導電性材料（たとえば、Ａｇ粉末又はＰｄ粉末など）を含む導電性ペーストの焼結体として構成される。第一及び第二スルーホール導体５１，５２は、対応する非磁性体層４を構成することとなるセラミックグリーンシートに形成された貫通孔に充填された導電性ペーストが焼結することにより形成される。
【００４３】
ダミー導体２５は、第一コイル導体２１と同じ層に配置されている。ダミー導体２５は、第一コイル導体２１と離間している。ダミー導体２６は、第二コイル導体２２と同じ層に配置されている。ダミー導体２６は、第二コイル導体２２と離間している。ダミー導体２５，２６は、環状を呈している。本実施形態では、ダミー導体２５，２６は、矩形環状を呈している。
【００４４】
第一コイル導体２１の一端部２１ａが露出している第一側面１ｃと第一コイル導体２１（渦巻き状の導体部分）との間の領域は、図４に示されるように、領域Ｒ１１（第一領域）、領域Ｒ１２（第二領域）、及び領域Ｒ１３を含んでいる。領域Ｒ１１は、素体１の幅方向ＤＷ（第一方向）で、第一コイル導体２１の一端部２１ａが接続されていない第三端子電極１３と、第一コイル導体２１（渦巻き状の導体部分）とに挟まれている。領域Ｒ１２は、第一コイル導体２１の一端部２１ａが接続されている第一端子電極１１と、第一コイル導体２１（渦巻き状の導体部分）とに挟まれている。領域Ｒ１３は、素体１の長手方向ＤＬ（第二方向）で、領域Ｒ１１と領域Ｒ１２とに挟まれている。すなわち、領域Ｒ１３は、領域Ｒ１１と領域Ｒ１２との間に位置している。
【００４５】
ダミー導体２５は、第一側面１ｃと第一コイル導体２１（渦巻き状の導体部分）との間であり、領域Ｒ１１を含まない領域Ｒ１２，Ｒ１３に配置されている。すなわち、ダミー導体２５は、領域Ｒ１１には配置されておらず、一部が領域Ｒ１２に位置しているように配置されている。
【００４６】
ダミー導体２５は、一対の導体部分２５ａ，２５ｂを有している。導体部分２５ａと導体部分２５ｂとは、素体１の幅方向ＤＷに沿うように延びており、素体１の長手方向ＤＬで離間している。導体部分２５ａは、領域Ｒ１２に位置している。導体部分２５ｂは、領域Ｒ１３に位置している。素体１の長手方向ＤＬでの導体部分２５ｂの幅Ｗ１ｂは、素体１の長手方向ＤＬでの導体部分２５ａの幅Ｗ１ａよりも大きい。
【００４７】
第二コイル導体２２の一端部２２ａが露出している第二側面１ｄと第二コイル導体２２（渦巻き状の導体部分）との間の領域は、図５に示されるように、領域Ｒ２１（第一領域）、領域Ｒ２２（第二領域）、及び領域Ｒ２３を含んでいる。領域Ｒ２１は、素体１の幅方向ＤＷで、第二コイル導体２２の一端部２２ａが接続されていない第四端子電極１４と、第二コイル導体２２（渦巻き状の導体部分）とに挟まれている。領域Ｒ２２は、第二コイル導体２２の一端部２２ａが接続されている第二端子電極１２と、第二コイル導体２２（渦巻き状の導体部分）とに挟まれている。領域Ｒ２３は、素体１の長手方向ＤＬで、領域Ｒ２１と領域Ｒ２２とに挟まれている。すなわち、領域Ｒ２３は、領域Ｒ２１と領域Ｒ２２との間に位置している。
【００４８】
ダミー導体２６は、第二側面１ｄと第二コイル導体２２（渦巻き状の導体部分）との間であり、領域Ｒ２１を含まない領域Ｒ２２，Ｒ２３に配置されている。すなわち、ダミー導体２６は、領域Ｒ２１には配置されておらず、一部が領域Ｒ２２に位置しているように配置されている。
【００４９】
ダミー導体２６は、一対の導体部分２６ａ，２６ｂを有している。導体部分２６ａと導体部分２６ｂとは、素体１の幅方向ＤＷに沿うように延びており、素体１の長手方向ＤＬで離間している。導体部分２６ａは、領域Ｒ２２に位置している。導体部分２６ｂは、領域Ｒ２３に位置している。素体１の長手方向ＤＬでの導体部分２６ｂの幅Ｗ２ｂは、素体１の長手方向ＤＬでの導体部分２６ａの幅Ｗ２ａよりも大きい。
【００５０】
以上のように、本実施形態では、第一コイル導体２１と同じ層における、第一コイル導体２１の一端部２１ａが露出している第一側面１ｃと第一コイル導体２１との間の領域に、ダミー導体２５が配置されている。第二コイル導体２２と同じ層における、第二コイル導体２２の一端部２２ａが露出している第二側面１ｄと第二コイル導体２２との間の領域に、ダミー導体２６が配置されている。このため、切断位置にずれが生じている製品では、図８又は図９に示されるように、ダミー導体２５又はダミー導体２６が素体１の側面１ｃ，１ｄに露出し、切断位置にずれが生じていない製品では、いずれのダミー導体２５，２６も素体１の側面１ｃ，１ｄに露出しない。このように、積層コモンモードフィルタＣＦによれば、ダミー導体２５，２６の露出の有無により、切断位置にずれが生じている製品を確実に判別することができる。
【００５１】
図８及び図９は、切断位置にずれが生じている積層コモンモードフィルタの一例を示す斜視図である。図８は、切断位置が図４に示された二点鎖線ＴＤ１に対応する位置にずれた場合に得られる積層コモンモードフィルタを示している。図９は、切断位置が図４に示された二点鎖線ＴＤ２に対応する位置にずれた場合に得られる積層コモンモードフィルタを示している。図８及び図９では、ダミー導体２５，２６上に形成されるめっき層の図示が省略されている。
【００５２】
ダミー導体２５が領域Ｒ１１に位置している場合、第一コイル導体２１と、第一コイル導体２１の一端部２１ａが接続されていない第三端子電極１３とがダミー導体２５を通して短絡するおそれがある。ダミー導体２６が領域Ｒ２１に位置している場合、第二コイル導体２２と、第二コイル導体２２の一端部２２ａが接続されていない第四端子電極１４とがダミー導体２６を通して短絡するおそれがある。いずれの場合も、絶縁耐圧不良が生じてしまう。
【００５３】
積層コモンモードフィルタＣＦでは、ダミー導体２５は、領域Ｒ１１を含まない領域Ｒ１２，Ｒ１３に配置されているので、領域Ｒ１１にダミー導体２５が位置することはない。ダミー導体２６は、領域Ｒ２１を含まない領域Ｒ２２，Ｒ２３に配置されているので、領域Ｒ２１にダミー導体２６が位置することはない。したがって、積層コモンモードフィルタＣＦによれば、第一コイル導体２１と第三端子電極１３とがダミー導体２５を通して短絡するのが抑制されると共に、第二コイル導体２２と第四端子電極１４とがダミー導体２６を通して短絡するのが抑制される。この結果、絶縁耐圧不良の発生が抑制される。
【００５４】
ダミー導体２５は、第一コイル導体２１と同じ層に配置されている。ダミー導体２６は、第二コイル導体２２と同じ層に配置されている。したがって、積層コモンモードフィルタＣＦの製造過程において、ダミー導体２５，２６となる導体パターンと、コイル導体２１，２２となる導体バターンとは、同じ過程（たとえば、導電体ペーストのスクリーン印刷過程）で形成される。したがって、積層コモンモードフィルタＣＦの製造過程を複雑化することなく、ダミー導体２５，２６を形成することができる。
【００５５】
間隔Ｓ１１は、間隔Ｓ１２よりも大きい。ダミー導体２５は、第一コイル導体２１と同じ層で、かつ、素体１の幅方向ＤＷでの第一コイル導体２１と第一側面１ｃとの間に配置されている。したがって、素体１の幅方向ＤＷでのダミー導体２５と第一コイル導体２１との間隔、及び、素体１の幅方向ＤＷでのダミー導体２５と第一側面１ｃ（第一端子電極１１）との間隔が確保された状態でのダミー導体２５の配置が容易とされる。間隔Ｓ２１は、間隔Ｓ２２よりも大きい。ダミー導体２６は、第二コイル導体２２と同じ層で、かつ、素体１の幅方向ＤＷでの第二コイル導体２２と第二側面１ｄとの間に配置されている。したがって、素体１の幅方向ＤＷでのダミー導体２６と第二コイル導体２２との間隔、及び、素体１の幅方向ＤＷでのダミー導体２６と第二側面１ｄ（第二端子電極１２）との間隔が確保された状態でのダミー導体２６の配置が容易とされる。
【００５６】
ダミー導体２５は、領域Ｒ１２に一部が位置しているように配置されている。ダミー導体２６は、領域Ｒ２２に一部が位置しているように配置されている。ダミー導体２５が切断されるように切断位置にずれが生じている製品では、図８及び図９に示されるように、第一端子電極１１とダミー導体２５とが接続される。このため、第一端子電極１１がめっき層を含む構成では、ダミー導体２５における第一側面１ｃに露出している部分にもめっき層が形成されるので、ダミー導体２５の露出の有無を容易に判別することができる。ダミー導体２６が切断されるように切断位置にずれが生じている製品では、第二端子電極１２とダミー導体２６とが接続される。このため、第二端子電極１２がめっき層を含む構成では、ダミー導体２６における第二側面１ｄに露出している部分にもめっき層が形成されるので、ダミー導体２６の露出の有無を容易に判別することができる。
【００５７】
本実施形態では、ダミー導体２５，２６は、環状を呈している。ダミー導体２５，２６は、図１０及び図１１に示されるように、ベタ状であってもよい。図１０及び図１１に示されたダミー導体２５，２６は、矩形ベタ状を呈している。ベタ状のダミー導体２５，２６を得るためには、導電性ペーストをベタ状に付与する必要があるため、環状のダミー導体２５，２６を得るよりも、導電性ペーストの使用量が多くなる。また、付与された導電性ペーストは、表面張力などの影響を受けて、ベタ状に付与される場合では、環状に付与される場合に比して、厚みが大きくなってしまう。したがって、ダミー導体２５，２６が環状である場合、ダミー導体２５，２６がベタ状である場合に比して、ダミー導体２５，２６を形成するための材料（導電性ペーストなど）の使用量が低減されると共に、厚みが大きくなるのを防ぐことができる。
【００５８】
環状を呈しているダミー導体２５は、一対の導体部分２５ａ，２５ｂを有し、導体部分２５ａは、領域Ｒ１２に位置し、導体部分２５ｂは、領域Ｒ１３に位置している。導体部分２５ｂの幅Ｗ１ｂは、導体部分２５ａの幅Ｗ１ａよりも大きい。環状を呈しているダミー導体２６は、一対の導体部分２６ａ，２６ｂを有し、導体部分２６ａは、領域Ｒ２２に位置し、導体部分２６ｂは、領域Ｒ２３に位置している。導体部分２６ｂの幅Ｗ２ｂは、導体部分２６ａの幅Ｗ２ａよりも大きい。
【００５９】
ダミー導体２５が切断されるように切断位置にずれが生じている製品では、第一端子電極１１と導体部分２５ａとが接続され、導体部分２５ｂが第一側面１ｃに露出する。導体部分２５ｂの幅Ｗ１ｂは、導体部分２５ａの幅Ｗ１ａよりも大きいので、露出している導体部分２５ｂが比較的大きく、この導体部分２５ｂに形成されるめっき層の面積も比較的大きい。したがって、ダミー導体２５の露出の有無をより一層容易に判別することができる。
【００６０】
ダミー導体２６が切断されるように切断位置にずれが生じている製品では、第二端子電極１２と導体部分２６ａとが接続され、導体部分２６ｂが第二側面１ｄに露出する。導体部分２６ｂの幅Ｗ２ｂは、導体部分２６ａの幅Ｗ２ａよりも大きいので、露出している導体部分２６ｂが比較的大きく、この導体部分２６ｂに形成されるめっき層の面積も比較的大きい。したがって、ダミー導体２６の露出の有無をより一層容易に判別することができる。
【００６１】
第一コイルＣ１は、渦巻き状の第一コイル導体２１及び第二コイル導体２２を有していると共に、第一コイル導体２１と第二コイル導体２２とが電気的に接続されることにより構成されている。第二コイルＣ２は、渦巻き状の第三コイル導体２３及び第四コイル導体２４を有していると共に、第三コイル導体２３と第四コイル導体２４とが電気的に接続されることにより構成されている。第一コイル導体２１と第三コイル導体２３とは、積層方向で互いに隣り合い、第二コイル導体２２と第四コイル導体２４とは、積層方向で互いに隣り合い、第三コイル導体２３は、積層方向で第一コイル導体２１と第二コイル導体２２との間に位置している。これにより、第一コイルＣ１と第二コイルＣ２との磁気結合を高めることができる。
【００６２】
以上、本発明の実施形態について説明してきたが、本発明は必ずしも上述した実施形態に限定されるものではなく、その要旨を逸脱しない範囲で様々な変更が可能である。
【００６３】
上記実施形態では、第一コイルＣ１を構成している第一コイル導体２１及び第二コイル導体２２と同じ層にダミー導体２５，２６が配置されているが、ダミー導体２５，２６の配置例は、これに限られない。たとえば、図１２に示されるように、ダミー導体２６は、第二コイルＣ２を構成している第四コイル導体２４と同じ層に位置していてもよい。
【００６４】
図１２に示された配置例では、ダミー導体２６は、第二側面１ｄと第四コイル導体２４（渦巻き状の導体部分）との間に配置されている。ダミー導体２６は、第三端子電極１３と第四コイル導体２４（渦巻き状の導体部分）とに素体１の幅方向ＤＷで挟まれる領域を含まらない領域に配置されている。ダミー導体２６の一部（たとえば、導体部分２６ａ）は、第四端子電極１４と第四コイル導体２４（渦巻き状の導体部分）とに素体１の幅方向ＤＷで挟まれる領域に位置している。
【００６５】
ダミー導体２５，２６の形状は、環状又は矩形状に限られない。ダミー導体２５，２６の形状は、たとえば、Ｌ字状、Ｔ字状、Ｕ字状、多角形状、又は円状であってもよい。
【００６６】
第一コイル導体２１と第二コイル導体２２とが積層方向で互いに隣り合い、第三コイル導体２３と第四コイル導体２４とが積層方向で互いに隣り合い、第二コイル導体２２と第三コイル導体２３とが積層方向で互いに隣り合っていてもよい。第一コイルＣ１は、一つの渦巻き状のコイル導体により構成されていてもよく、第二コイルＣ２も、一つの渦巻き状のコイル導体により構成されていてもよい。
【符号の説明】
【００６７】
１…素体、１ｃ…第一側面、１ｄ…第二側面、４…非磁性体層、６…磁性体層、１１…第一端子電極、１２…第二端子電極、１３…第三端子電極、１４…第四端子電極、２１…第一コイル導体、２１ａ…第一コイル導体の一端部、２２…第二コイル導体、２２ａ…第二コイル導体の一端部、２３…第三コイル導体、２３ａ…第三コイル導の一端部、２４…第四コイル導体、２４ａ…第四コイル導体の一端部、２５…ダミー導体、２５ａ，２５ｂ…導体部分、２６…ダミー導体、２６ａ，２６ｂ…導体部分、Ｃ１…第一コイル、Ｃ２…第二コイル、ＣＦ…積層コモンモードフィルタ、ＤＬ…長手方向、ＤＷ…幅方向、Ｗ１ａ，Ｗ１ｂ，Ｗ２ａ，Ｗ２ｂ…導体部分の幅。
【図１】
0006753091.tif 000002
【図２】
0006753091.tif 000003
【図３】
0006753091.tif 000004
【図４】
0006753091.tif 000005
【図５】
0006753091.tif 000006
【図６】
0006753091.tif 000007
【図７】
0006753091.tif 000008
【図８】
0006753091.tif 000009
【図９】
0006753091.tif 000010
【図１０】
0006753091.tif 000011
【図１１】
0006753091.tif 000012
【図１２】
0006753091.tif 000013